(57)【要約】      （修正有）【課題】みみずを利用して食物残渣等を分解消化してみみずコンポストに転換し、有機肥料等として利用し、さらには、みみずコンポストに転換する過程で得られる液肥を圃場の土壌等にコストをかけることなく供給する食物残渣等の処理方法を提供する。【解決手段】みみずファーム１の箱体２を方形状の周壁２１及び底壁２２から形成し、底壁２２を対向する他側壁から一側壁に向かって下り勾配に傾斜する傾斜面に形成するとともに、一側壁の下端部に底壁面に連通する複数個の開口２１ａを形成する。この箱体２を、開口２１ａを形成した一側壁が圃場Ｆの一辺にほぼ面するように、圃場Ｆの一辺に沿って設置するとともに、箱体２内にみみず飼育床３を敷きつめた後、みみず飼育床３上に食物残渣を散布し、散布された食物残渣をみみずによって分解消化させてみみずコンポストに転換する一方、みみずコンポストに転換する過程で生成される液肥を圃場Ｆに導く。【選択図】図２
2013067534.tif 000002
【特許請求の範囲】
【請求項１】
方形状の周壁及び底壁からなり、底壁を対向する他側壁から一側壁に向かって下り勾配に傾斜する傾斜面に形成するとともに、一側壁の下端部に底壁面に連通する複数個の開口を形成した箱体を、その一側壁が圃場の一辺にほぼ面するように、圃場の少なくとも一辺に沿って設置するとともに、箱体内にみみず飼育床を敷きつめた後、みみず飼育床上に食物残渣等を散布し、散布された食物残渣等を分解消化してみみずコンポストに転換する一方、みみずコンポストに転換する過程で生成される液肥を圃場に導くことを特徴とするみみずを利用した食物残渣等の処理方法。
【請求項２】
方形状の周壁及び底壁からなり、底壁を中間部から対向する一側壁及び他側壁に向かってそれぞれ下り勾配に傾斜する山形状傾斜面に形成するとともに、一側壁及び他側壁の各下端部にそれぞれ底壁面に連通する複数個の開口を形成した箱体を、その一側壁及び他側壁がそれぞれ各圃場の一辺にほぼ面するように、隣接する圃場の間に設置するとともに、箱体内にみみず飼育床を敷きつめた後、みみず飼育床上に食物残渣等を散布し、散布された食物残渣等を分解消化してみみずコンポストに転換する一方、みみずコンポストに転換する過程で生成される液肥を隣接する圃場にそれぞれ導くことを特徴とするみみずを利用した食物残渣等の処理方法。
【請求項３】
方形状の周壁及び底壁からなり、底壁を対向する他側壁から一側壁に向かって下り勾配に傾斜する傾斜面に形成するとともに、一側壁の下端部に底壁面に連通する複数個の開口を形成した箱体を、その一側壁が列をなす複数本の樹木からなる樹木林における各樹木の枝張りを直径とし、幹を中心とする円に略接する線分を含む垂直面にほぼ面するように、樹木林に沿って設置するとともに、箱体内にみみず飼育床を敷きつめた後、みみず飼育床上に食物残渣等を散布し、散布された食物残渣等を分解消化してみみずコンポストに転換する一方、みみずコンポストに転換する過程で生成される液肥を樹木林に導くことを特徴とするみみずを利用した食物残渣等の処理方法。
【請求項４】
方形状の周壁及び底壁からなり、底壁を中間部から対向する一側壁及び他側壁に向かってそれぞれ下り勾配に傾斜する山形状傾斜面に形成するとともに、一側壁及び他側壁の各下端部にそれぞれ底壁面に連通する複数個の開口を形成した箱体を、その一側壁及び他側壁がそれぞれ列をなす複数本の樹木からなる２列の樹木林における各列の樹木の枝張りを直径とし、幹を中心とする円に略接する線分を含む垂直面にそれぞれほぼ面するように、２列の樹木林の間に設置するとともに、箱体内にみみず飼育床を敷きつめた後、みみず飼育床上に食物残渣等を散布し、散布された食物残渣等を分解消化してみみずコンポストに転換する一方、みみずコンポストに転換する過程で生成される液肥を各列の樹木林にそれぞれ導くことを特徴とするみみずを利用した食物残渣等の処理方法。
【請求項５】
設定された中心角の地紙状周壁及び底壁からなり、底壁を対向する弧状の外周壁から内周壁に向かって下り勾配に傾斜する傾斜面に形成するとともに、内周壁の下端部に底壁面に連通する複数個の開口を形成した複数個の単位箱体を、その内周壁が樹木の枝張りを直径とし、幹を中心とする直円筒面にほぼ面するように、樹木の周囲に設置するとともに、各単位箱体内にみみず飼育床を敷きつめてなり、みみず飼育床上に食物残渣等を散布し、散布された食物残渣等を分解消化してみみずコンポストに転換する一方、みみずコンポストに転換する過程で生成される液肥を樹木に導くことを特徴とするみみずを利用した食物残渣等の処理方法。
【発明の詳細な説明】
【技術分野】
【０００１】
この発明は、食物残渣等をみみずを利用して分解消化する処理方法に関するものである。
【背景技術】
【０００２】
従来より、食品工場や飲食店等から発生する食品由来の廃棄物は、産業廃棄物処理業者に委託されて焼却処理あるいは廃棄処理されている。また、各家庭から出る生ゴミも、地方自治体によって焼却処理されている場合がほとんどである。
【０００３】
このような食物残渣等を焼却する場合には燃料が必要になり、特に、水分を多量に含む場合には、より多くの燃料を必要とするものである。
【０００４】
このため、近年、環境への影響を考慮して、食物残渣等を微生物を利用して分解し、堆肥化して再利用する試みが提案され、実施されている。
【０００５】
例えば、出願人は、内部に通水層、みみず育成層を順に積層した筐体を建物の屋上に設置し、建物内で発生した生ゴミをみみずの餌として筐体のみみず育成層上に散布することにより、生ゴミをみみずによって消化させるとともに、その排泄物によって地中微生物による生ゴミの分解を促進させ、生ゴミを堆肥化して植物の育成用土として再利用することを提案している（例えば、特許文献１参照）。
【先行技術文献】
【特許文献】
【０００６】
【特許文献１】特開２００８−８６８５６号公報
【発明の概要】
【発明が解決しようとする課題】
【０００７】
ところで、前述したように、みみずを利用して食物残渣等を分解消化し、みみずコンポストを作る場合、例えば、各家庭から出る生ゴミ等を地方自治体体が集めて堆肥化したり、食品工場等で発生する食品由来の廃棄物を産業廃棄物処理業者が堆肥化することを考慮すると、みみずを利用してみみずコンポストを作るみみずファームと、みみずコンポストの消費地、例えば、農家とは、距離的に離れていることから、作られたみみずコンポストを別途消費地に輸送する必要がある。しかも、みみずコンポストを作る過程で生成される養分豊かな液肥を有効に活用することができないものである。
【０００８】
本発明は、このような問題点に鑑みてなされたもので、生ゴミや食品由来の廃棄物といった食物残渣等をみみずを利用して分解消化してみみずコンポストに転換し、転換されたみみずコンポストを有機肥料等として、さらには、みみずコンポストに転換する過程で生成される液肥を圃場の土壌等にコストをかけることなく供給することのできるみみずを利用した食物残渣等の処理方法を提供するものである。
【課題を解決するための手段】
【０００９】
本発明は、方形状の周壁及び底壁からなり、底壁を対向する他側壁から一側壁に向かって下り勾配に傾斜する傾斜面に形成するとともに、一側壁の下端部に底壁面に連通する複数個の開口を形成した箱体を、その一側壁が圃場の一辺にほぼ面するように、圃場の少なくとも一辺に沿って設置するとともに、箱体内にみみず飼育床を敷きつめた後、みみず飼育床上に食物残渣等を散布し、散布された食物残渣等を分解消化してみみずコンポストに転換する一方、みみずコンポストに転換する過程で生成される液肥を圃場に導くことを特徴とするものである。
【００１０】
本発明によれば、複数個の開口を形成した一側壁が穀物や野菜等の農作物の圃場に面するように、圃場の少なくとも一辺に沿って箱体を設置した後、箱体内にみみず飼育床を敷きつめる。次いで、みみず飼育床上に食物残渣等を散布すれば、みみずは、食物残渣等を餌として消化し、排泄物を排泄する。みみずの排泄物は、土壌微生物の活動を活発化させることから、土壌微生物による食物残渣等の分解を促進する。そして、分解された食物残渣等を再びみみずが消化し、排泄物を排泄する。以下、食物残渣等をみみず飼育床上に散布することを繰り返すことにより、食物残渣等は、みみずによって消化されるとともに、土壌微生物によって分解され、一定時間経過後、みみず糞土（みみずコンポスト）に転換される。
【００１１】
このようにして、みみずコンポストが得られたならば、箱体からみみずコンポストを取り出し、隣接する圃場に散布し、有機肥料や土壌改良材等として再利用する。また、食物残渣等をみみずコンポストに転換する過程において、有機物を分解することで発生する水分やみみずの尿は、みみずコンポストの養分等を溶かし込みながら底壁に達し、その傾斜面に沿って流下し、開口を通して圃場の土壌に流れ込んでいる。
【００１２】
一方、みみずコンポストを取り出したならば、箱体内に再びみみず飼育床を敷きつめ、以下、みみず飼育床上に食物残渣等を散布し、食物残渣等を分解消化させてみみずコンポストに転換し、有機肥料等として取り出すことを繰り返す。
【００１３】
この結果、これまで焼却処理あるいは廃棄処理されてきた食物残渣等をみみずによって分解消化してみみずコンポストに転換し、有機肥料等として圃場に還元して安全な穀物や野菜等の農作物を生産することができる。しかも、みみずコンポストは、農作物の圃場に隣接して作られることから、輸送費をかけることなく圃場に供給することができる。また、みみずコンポストに含まれる多量の養分及び大量の微生物を溶かし込んだ液肥も余すことなく圃場の土壌に供給することができ、圃場の土壌を養分豊かに維持し、あるいは、転換し、農作物の成育を促進することができる。
【００１４】
本発明は、方形状の周壁及び底壁からなり、底壁を中間部から対向する一側壁及び他側壁に向かってそれぞれ下り勾配に傾斜する山形状傾斜面に形成するとともに、一側壁及び他側壁の各下端部にそれぞれ底壁面に連通する複数個の開口を形成した箱体を、その一側壁及び他側壁がそれぞれ各圃場の一辺にほぼ面するように、隣接する圃場の間に設置するとともに、箱体内にみみず飼育床を敷きつめた後、みみず飼育床上に食物残渣等を散布し、散布された食物残渣等を分解消化してみみずコンポストに転換する一方、みみずコンポストに転換する過程で生成される液肥を隣接する圃場にそれぞれ導くことを特徴とするものである。
【００１５】
本発明によれば、それぞれ複数個の開口を形成した一側壁及び他側壁が穀物や野菜等の農作物の各圃場の一辺にほぼ面するように、隣接する圃場の間に箱体を設置した後、箱体内にみみず飼育床を敷きつめる。次いで、みみず飼育床上に食物残渣等を散布すれば、みみずは、食物残渣等を餌として消化し、排泄物を排泄する。みみずの排泄物は、土壌微生物の活動を活発化させることから、土壌微生物による食物残渣等の分解を促進する。そして、分解された食物残渣等を再びみみずが消化し、排泄物を排泄する。以下、食物残渣等をみみず飼育床上に散布することを繰り返すことにより、食物残渣等は、みみずによって消化されるとともに、土壌微生物によって分解され、一定時間経過後、みみず糞土（みみずコンポスト）に転換される。
【００１６】
このようにして、みみずコンポストが得られたならば、箱体からみみずコンポストを取り出し、隣接する各圃場にそれぞれ散布し、有機肥料や土壌改良材等として再利用する。また、食物残渣等をみみずコンポストに転換する過程において、有機物を分解することで発生する水分やみみずの尿は、みみずコンポストの養分等を溶かし込みながら底壁に達し、その山形傾斜面に沿って流下し、開口を通して各圃場の土壌に流れ込んでいる。
【００１７】
一方、みみずコンポストを取り出したならば、箱体内に再びみみず飼育床を敷きつめ、以下、みみず飼育床上に食物残渣等を散布し、食物残渣等を分解消化させてみみずコンポストに転換し、有機肥料等として取り出すことを繰り返す。
【００１８】
この結果、これまで焼却処理あるいは廃棄処理されてきた食物残渣等をみみずによって分解消化してみみずコンポストに転換し、有機肥料等として圃場に還元して安全な穀物や野菜等の農作物を生産することができる。しかも、みみずコンポストは、野菜等の農作物の隣接する圃場の間で作られることから、輸送費をかけることなく各圃場にそれぞれ供給することができる。また、みみずコンポストに含まれる多量の養分及び大量の微生物を溶かし込んだ液肥も余すことなく各圃場の土壌に供給することができ、各圃場の土壌を養分豊かに維持し、あるいは、転換し、農作物の成育を促進することができる。
【００１９】
本発明は、方形状の周壁及び底壁からなり、底壁を対向する他側壁から一側壁に向かって下り勾配に傾斜する傾斜面に形成するとともに、一側壁の下端部に底壁面に連通する複数個の開口を形成した箱体を、その一側壁が列をなす複数本の樹木からなる樹木林における各樹木の枝張りを直径とし、幹を中心とする円に略接する線分を含む垂直面にほぼ面するように、樹木林に沿って設置するとともに、箱体内にみみず飼育床を敷きつめた後、みみず飼育床上に食物残渣等を散布し、散布された食物残渣等を分解消化してみみずコンポストに転換する一方、みみずコンポストに転換する過程で生成される液肥を樹木林に導くことを特徴とするものである。
【００２０】
本発明によれば、果樹等の複数本の樹木が列状に植設されてなる樹木林において、複数個の開口を形成した一側壁が、各樹木の枝張りを直径とし、幹を中心とする円に略接する線分を含む垂直面にほぼ面するように、樹木林に沿って箱体を設置した後、箱体内にみみず飼育床を敷きつめる。次いで、みみず飼育床上に食物残渣等を散布すれば、みみずは、食物残渣等を餌として消化し、排泄物を排泄する。みみずの排泄物は、土壌微生物の活動を活発化させることから、土壌微生物による食物残渣等の分解を促進する。そして、分解された食物残渣等を再びみみずが消化し、排泄物を排泄する。以下、食物残渣等をみみず飼育床上に散布することを繰り返すことにより、食物残渣等は、みみずによって消化されるとともに、土壌微生物によって分解され、一定時間経過後、みみず糞土（みみずコンポスト）に転換される。
【００２１】
このようにして、みみずコンポストが得られたならば、箱体からみみずコンポストを取り出し、隣接する樹木林に散布し、有機肥料や土壌改良材等として再利用する。また、食物残渣等をみみずコンポストに転換する過程において、有機物を分解することで発生する水分やみみずの尿は、みみずコンポストの養分等を溶かし込みながら底壁に達し、その傾斜面に沿って流下し、開口を通して樹木林の土壌に流れ込んでいる。
【００２２】
一方、みみずコンポストを取り出したならば、箱体内に再びみみず飼育床を敷きつめ、以下、みみず飼育床上に食物残渣等を散布し、食物残渣等を分解消化させてみみずコンポストに転換し、有機肥料等として取り出すことを繰り返す。
【００２３】
この結果、これまで焼却処理あるいは廃棄処理されてきた食物残渣等をみみずによって分解消化してみみずコンポストに転換し、有機肥料等として樹木林に還元して安全な果物等を生産することができる。しかも、みみずコンポストは、果物等の樹木林に隣接して作られることから、輸送費をかけることなく樹木林に供給することができる。また、みみずコンポストに含まれる多量の養分及び大量の微生物を溶かし込んだ液肥も余すことなく樹木林の土壌に供給することができ、樹木林の土壌を養分豊かに維持し、あるいは、転換し、樹木の成育を促進することができる。
【００２４】
本発明は、方形状の周壁及び底壁からなり、底壁を中間部から対向する一側壁及び他側壁に向かってそれぞれ下り勾配に傾斜する山形状傾斜面に形成するとともに、一側壁及び他側壁の各下端部にそれぞれ底壁面に連通する複数個の開口を形成した箱体を、その一側壁及び他側壁がそれぞれ列をなす複数本の樹木からなる２列の樹木林における各列の樹木の枝張りを直径とし、幹を中心とする円に略接する線分を含む垂直面にそれぞれほぼ面するように、２列の樹木林の間に設置するとともに、箱体内にみみず飼育床を敷きつめた後、みみず飼育床上に食物残渣等を散布し、散布された食物残渣等を分解消化してみみずコンポストに転換する一方、みみずコンポストに転換する過程で生成される液肥を各列の樹木林にそれぞれ導くことを特徴とするものである。
【００２５】
本発明によれば、それぞれ果樹等の複数本の樹木が列状に植設されてなる２列の樹木林において、それぞれ複数個の開口を形成した一側壁及び他側壁が、各列における各樹木の枝張りを直径とし、幹を中心とする円に略接する線分を含む垂直面にそれぞれほぼ面するように、２列の樹木林の間に箱体を設置した後、箱体内にみみず飼育床を敷きつめる。次いで、みみず飼育床上に食物残渣等を散布すれば、みみずは、食物残渣等を餌として消化し、排泄物を排泄する。みみずの排泄物は、土壌微生物の活動を活発化させることから、土壌微生物による食物残渣等の分解を促進する。そして、分解された食物残渣等を再びみみずが消化し、排泄物を排泄する。以下、食物残渣等をみみず飼育床上に散布することを繰り返すことにより、食物残渣等は、みみずによって消化されるとともに、土壌微生物によって分解され、一定時間経過後、みみず糞土（みみずコンポスト）に転換される。
【００２６】
このようにして、みみずコンポストが得られたならば、箱体からみみずコンポストを取り出し、各樹木林に散布し、有機肥料や土壌改良材等として再利用する。また、食物残渣等をみみずコンポストに転換する過程において、有機物を分解することで発生する水分やみみずの尿は、みみずコンポストの養分等を溶かし込みながら底壁に達し、その傾斜面に沿って流下し、それぞれ開口を通して各樹木林の土壌に流れ込んでいる。
【００２７】
一方、みみずコンポストを取り出したならば、箱体内に再びみみず飼育床を敷きつめ、以下、みみず飼育床上に食物残渣等を散布し、食物残渣等を分解消化させてみみずコンポストに転換し、有機肥料等として取り出すことを繰り返す。
【００２８】
この結果、これまで焼却処理あるいは廃棄処理されてきた食物残渣等をみみずによって分解消化してみみずコンポストに転換し、有機肥料等として樹木林に還元して安全な果物等を生産することができる。しかも、みみずコンポストは、果物等の隣接する樹木林の間で作られることから、輸送費をかけることなく各樹木林にそれぞれ供給することができる。また、みみずコンポストに含まれる多量の養分及び大量の微生物を溶かし込んだ液肥も余すことなく各樹木林の土壌にそれぞれ供給することができ、各樹木林の土壌を養分豊かに維持し、あるいは、転換し、樹木の成育を促進することができる。
【００２９】
本発明は、設定された中心角の地紙状周壁及び底壁からなり、底壁を対向する弧状の外周壁から内周壁に向かって下り勾配に傾斜する傾斜面に形成するとともに、内周壁の下端部に底壁面に連通する複数個の開口を形成した複数個の単位箱体を、その内周壁が樹木の枝張りを直径とし、幹を中心とする直円筒面にほぼ面するように、樹木の周囲に設置するとともに、各単位箱体内にみみず飼育床を敷きつめてなり、みみず飼育床上に食物残渣等を散布し、散布された食物残渣等を分解消化してみみずコンポストに転換する一方、みみずコンポストに転換する過程で生成される液肥を樹木に導くことを特徴とするものである。
【００３０】
本発明によれば、複数個の開口を形成した内側壁が、樹木の枝張りを直径とし、幹を中心とする円を含む直円筒面にほぼ面するように、複数個の単位箱体を樹木の周囲にリング状に設置した後、単位箱体内にそれぞれみみず飼育床を敷きつめる。次いで、各単位箱体のみみず飼育床上に食物残渣等を散布すれば、みみずは、食物残渣等を餌として消化し、排泄物を排泄する。みみずの排泄物は、土壌微生物の活動を活発化させることから、土壌微生物による食物残渣等の分解を促進する。そして、分解された食物残渣等を再びみみずが消化し、排泄物を排泄する。以下、食物残渣等をみみず飼育床上に散布することを繰り返すことにより、食物残渣等は、みみずによって消化されるとともに、土壌微生物によって分解され、一定時間経過後、みみず糞土（みみずコンポスト）に転換される。
【００３１】
このようにして、みみずコンポストが得られたならば、箱体からみみずコンポストを取り出し、樹木の周囲に散布し、有機肥料や土壌改良材等として再利用する。また、食物残渣等をみみずコンポストに転換する過程において、有機物を分解することで発生する水分やみみずの尿は、みみずコンポストの養分等を溶かし込みながら底壁に達し、その傾斜面に沿って流下し、開口を通して樹木の土壌に流れ込んでいる。
【００３２】
一方、みみずコンポストを取り出したならば、箱体内に再びみみず飼育床を敷きつめ、以下、みみず飼育床上に食物残渣等を散布し、食物残渣等等を分解消化させてみみずコンポストに転換し、有機肥料等として取り出すことを繰り返す。
【００３３】
この結果、これまで焼却処理あるいは廃棄処理されてきた食物残渣等をみみずによって分解消化してみみずコンポストに転換し、有機肥料等として樹木に還元して安全な果物等を生産することができる。しかも、みみずコンポストは、果物等の樹木の周囲で作られることから、輸送費をかけることなく樹木に供給することができる。また、みみずコンポストに含まれる多量の養分及び大量の微生物を溶かし込んだ液肥も余すことなく樹木の土壌に供給することができ、樹木の土壌を養分豊かに維持し、あるいは、転換し、樹木の成育を促進することができる。
【発明の効果】
【００３４】
本発明によれば、生ゴミや食品由来の廃棄物といった食物残渣等をみみずを利用して分解消化してみみずコンポストに転換し、転換されたみみずコンポストを有機肥料等として、さらには、みみずコンポストに転換する過程で生成される液肥を圃場の土壌等にコストをかけることなく供給することができる。
【図面の簡単な説明】
【００３５】
【図１】本発明のみみずを利用した食物残渣等の処理方法の一実施形態を説明する平面図である。
【図２】図１のＡ−Ａ線断面図である。
【図３】本発明の食物残渣等の処理方法における食物残渣等の散布要領を説明する工程図である。
【図４】本発明の食物残渣等の処理方法で得られたみみずコンポストの収穫要領を説明する工程図である。
【図５】本発明のみみずを利用した食物残渣等の処理方法の他の実施形態を説明する平面図である。
【図６】図５のＢ−Ｂ線断面図である。
【図７】本発明のみみずを利用した食物残渣等の処理方法のもう一つの実施形態を説明する平面図である。
【図８】図７のＣ−Ｃ線断面図である。
【図９】本発明のみみずを利用した食物残渣等の処理方法のもう一つの他の実施形態を説明する平面図である。
【図１０】図９のＤ−Ｄ線断面図である。
【図１１】本発明のみみずを利用した食物残渣等の処理方法のさらなる他の実施形態を説明する平面図である。
【図１２】図１１のＥ−Ｅ線断面図である。
【発明を実施するための形態】
【００３６】
以下、本発明の実施の形態を図面に基づいて説明する。
【００３７】
図１、図２には、本発明のみみずを利用した食物残渣等の処理方法を実施するミミズファーム１の一例が示されている。
【００３８】
このミミズファーム１は、箱体２内にみみず飼育床３を敷きつめたもので、畑や田等の圃場Ｆの各辺に沿ってそれぞれ設置されている。
【００３９】
この場合、ミミズファーム１の設置位置としては、圃場に隣接する休耕田や耕作放棄地を活用することが好ましい。
【００４０】
みみずファーム１の箱体２は、ＦＲＰ製の方形状の周壁２１及び底壁２２から構成され、底壁２２は、圃場Ｆの各辺に面する一側壁及び該一側壁に対向する他側壁において、他側壁から一側壁に向かって下り勾配の傾斜面に形成されている。そして、圃場Ｆの各辺に面する一側壁の下端部には、底壁２２の傾斜面に連通する複数個の開口２１ａが形成されている他、周壁２１には、通気性を確保するため、多数の小孔が形成されている。
【００４１】
なお、箱体２には、みみずが光を嫌うことに対応して、通常、寒冷紗（図示せず）を被せてみみずファーム１を覆っている。
【００４２】
一方、みみず飼育床３は、シマミミズ等のみみずを養殖する腐葉土に木質砕片を混合して形成される。
【００４３】
ここで、木質砕片は、間伐材を伐採した後、伐採現場に持ち込んだ小型の破砕機を利用して破砕し、チップ化したものである。
【００４４】
ただし、間伐材解消のために木質砕片を使用するものであり、必ずしも木質砕片を必要とするものではないし、木質砕片に代えて、放置竹林で伐採した竹を破砕した竹片や、製材所で発生するおが屑を利用しても構わない。
【００４５】
箱体２内にみみず飼育床３を散布して敷きつめたならば、みみず飼育床３上にみみずの餌として生ゴミ等の食物残渣４を散布する。
【００４６】
食物残渣４としては、その分解を促進する観点からは粉砕して散布することが好ましいが、必ずしも粉砕する必要はない。
【００４７】
この場合、食物残渣４は、みみず飼育床３上に順次場所を変えて散布される。例えば、みみずは、１日に自分の体重と同じ量の有機物を食べると言われていることに対応して、箱体２の内部を７つに分割し、それぞれ分割された区画のみみず飼育床３上に曜日毎に、すなわち、１週間おきに所要量の食物残渣４を散布する。（なお、図３においては、説明を容易にするため、みみずファーム１を３分割して説明している。）
食物残渣４がみみず飼育床３上に散布されると、みみずは、食物残渣４を餌として消化し、排泄物を排泄する。みみずの排泄物は、土壌微生物の活動を活発化させることから、食物残渣４及びみみず飼育床３を構成する腐葉土や木質砕片等の土壌微生物による分解を促進する。そして、分解された食物残渣４及びみみず飼育床３の腐葉土等を再びみみずが消化して排泄することを繰り返して、食物残渣４及びみみず飼育床３の腐葉土等を徐々に分解する。
【００４８】
以下、定期的に食物残渣４をみみず飼育床３上に散布することを繰り返すことにより、食物残渣４及びみみず飼育床３の腐葉土等をみみずが消化するとともに、土壌微生物が分解し、数カ月後には、みみず飼育床３がみみず糞土（みみずコンポスト）５（図４（ａ）参照）に転換される。
【００４９】
一方、食物残渣４をみみずコンポスト５に転換する過程において、食物残渣４などの有機物を分解することで発生する水分やみみずの尿は、みみずコンポスト５の養分等を溶かし込みながら底壁２２に達し、その傾斜面に沿って流下し、開口２１ａを通して圃場Ｆの土壌に流れ込んでいる。このため、箱体２の底部に水（液肥）がたまり、みみずが溺れて死ぬことを防止できる。
【００５０】
このようにしてみみずコンポスト５が得られたならば、箱体２からみみずコンポスト５を取り出し、隣接する圃場Ｆに有機肥料や土壌改良材、あるいは、消臭材として散布することで再利用することができる。
【００５１】
この結果、食物残渣４を焼却処理又は廃棄処理することなく、また、輸送コストを要することなく、最終的に有機肥料等として圃場Ｆに還元して安全な穀物や野菜等の農作物を生産することができる。しかも、みみずコンポスト５に含まれる多量の養分及び大量の微生物を含む液肥を余すことなく圃場Ｆの土壌に供給することができ、土壌の養分を豊かに維持し、農作物の成育を促進することができる。
【００５２】
なお、箱体２内のみみずコンポスト５を収穫するには、箱体２の内部を２つに分割し、その一半部のみに食物残渣４を供給する（図４（ｂ）参照）。これにより、箱体２の他半部のみみずは、食物残渣４のある一半部側に移動することから、箱体２の他半部側のみみずコンポスト５を収穫することができる（図４（ｃ）参照）。次いで、箱体２のみみずコンポスト５が取り出された他半部に再びみみず飼育床３を敷きつめた後（図４（ｄ）参照）、再び敷きつめたみみず飼育床３側、すなわち、箱体２の他半部側のみに食物残渣４を散布し、箱体２の一半部側のみみずを他半部側に移動させる（図４（ｅ）参照）。そして、同様に、箱体２の一半部側のみみずコンポスト５を収穫した後（図４（ｆ）参照）、みみずコンポスト５が取り出された箱体２の一半部側をみみず飼育床３で敷きつめ、再び曜日ごとに食物残渣４を各分割されたみみず飼育床３上に順に散布すればよい。
【００５３】
以下、前述したように、箱体２の内部に再び敷きつめられたみみず飼育床３に食物残渣４を定期的に供給することを繰り返してみみずコンポスト５に転換すればよい。
【００５４】
ところで、前述した実施形態においては、圃場Ｆの周囲各辺に沿ってみみずファーム１を設置した場合を例示したが、図５及び図６に示すように、隣接する二つの圃場Ｆに跨がってみみずファーム１を設置してもよい。この場合、みみずファーム１を構成する箱体２の底壁２２は、幅方向の略中間部から対向する一側壁及び他側壁に向かってそれぞれ下り勾配に傾斜する山形状傾斜面に形成され、また、対向する一側壁及び他側壁の下端部には、それぞれ底壁面に連通する複数個の開口２１ａが形成されている。
【００５５】
また、果樹等の樹木Ｔにおいても、みみずファーム１を設置することができる。例えば、図７及び図８に示すように、複数本の果樹等の樹木Ｔが列状に植設された樹木林において、みみずファーム１の箱体２における底壁２２の傾斜面に連通する複数個の開口２１ａを形成した一側壁が、各樹木Ｔの枝張りｗを直径とし、幹を中心とする円に略接する線分を含む垂直面にほぼ面するように、箱体２を樹木林に沿って設置した後、みみず飼育床３を敷きつめてみみずファーム１を形成すればよい。
【００５６】
この場合、複数本の果樹等の樹木Ｔが列をなして植設されている樹木林が複数列ある場合には、図９及び図１０に示すように、隣接する樹木林間にみみずファーム１を形成すればよい。すなわち、みみずファーム１の箱体２の底壁２２を山形状傾斜面に形成するとともに、対向する一側壁及び他側壁の各下端部に底壁面に連通する複数個の開口２１ａをそれぞれ形成し、これらの対向する一側壁及び他側壁が、各樹木Ｔの枝張りｗを直径とし、幹を中心とする円に略接する線分を含む垂直面にそれぞれほぼ面するように、隣接する樹木林の間に位置して箱体２を設置すればよい。
【００５７】
さらに、果樹等の樹木Ｔにおいては、例えば、扇形状の単位箱体２Ａを複数個組み合わせてリング状の箱体２に形成し、樹木Ｔの周囲に設置してもよい。例えば、図１１及び図１２に示すように、みみずファーム１の箱体２は、半円扇形状の周壁２１及び底壁２２から形成され、底壁２２を対向する半周状の外周壁から内周壁に向かって下り勾配に傾斜する傾斜面に形成されるとともに、半周状の内周壁の下端部に底壁面に連通する複数個の開口２１ａが形成された単位箱体２Ａを２個組み合わせてリング状に形成されている。そして、単位箱体２Ａの内周壁を、樹木Ｔの枝張りｗを直径とし、幹を中心とする円を含む直円筒面にほぼ面するように、２個の単位箱体２Ａを設置し、リング状の箱体２を形成すればよい。
【００５８】
なお、前述した実施形態においては、みみずファーム１の箱体２をＦＲＰで形成し、一部地中に埋設する場合を例示したが、底壁２２の傾斜を維持するように支持して地上に設置してもよい。箱体２を地上に設置する場合は、底壁２２のみにＦＲＰを用い、周壁２１には木材を利用することもできる。これにより、箱体２の通気性を確保することができるとともに、みみずの天敵であるモグラによる被害を防止することができる他、肥料や土壌改良が必要な圃場Ｆ等に簡単に移動させることができる。
【００５９】
また、前述した実施形態においては、生ゴミ等の食物残渣をみみずコンポストに転換する場合を例示したが、食品工場から発生する食品由来の廃棄物や、農産物の生産過程及び収穫過程で発生する廃棄野菜等を食物残渣としてみみずの餌に利用し、みみずコンポストを得るようにしてもよい。
【符号の説明】
【００６０】
１  みみずファーム
２  箱体
３  みみず飼育床
４  食物残渣（有機物）
５  みみずコンポスト（みみず糞土）
Ｆ  圃場
Ｔ  樹木
【図１】
2013067534.tif 000003
【図２】
2013067534.tif 000004
【図３】
2013067534.tif 000005
【図４】
2013067534.tif 000006
【図５】
2013067534.tif 000007
【図６】
2013067534.tif 000008
【図７】
2013067534.tif 000009
【図８】
2013067534.tif 000010
【図９】
2013067534.tif 000011
【図１０】
2013067534.tif 000012
【図１１】
2013067534.tif 000013
【図１２】
2013067534.tif 000014